(57)【特許請求の範囲】
【請求項１】
単位層を積層する三次元造形物の製造方法であって、
上記単位層は、ヘッドの備えるノズルから吐出される液滴で形成され、
上記ノズルを検査するノズルチェック工程を含み、
上記ノズルチェック工程は、或る単位層を形成する前であって、当該単位層が最下層である場合には製造開始の後に、当該単位層が最下層以外である場合には当該単位層の直下にある単位層を形成した後に、当該単位層を形成するための液滴を吐出するノズルのうちの少なくとも一部のノズルを検査対象としてノズルチェックを行うことを含み、
上記ノズルチェック工程では、上記ヘッドが備えるノズルのうち、予め定められた複数のノズルを一つの集団とし、上記ヘッドが備えるノズルのうちの少なくとも一部を複数の集団に分割した集団情報に基づいて、
予め定められた数の単位層を形成する毎に、上記複数の集団のうちの一部の集団のノズルチェックを行う
ことを特徴とする三次元造形物の製造方法。
【請求項２】
単位層を積層する三次元造形物の製造方法であって、
上記単位層は、ヘッドの備えるノズルから吐出される液滴で形成され、
上記ノズルを検査するノズルチェック工程を含み、
上記ノズルチェック工程は、或る単位層を形成する前であって、当該単位層が最下層である場合には製造開始の後に、当該単位層が最下層以外である場合には当該単位層の直下にある単位層を形成した後に、当該単位層を形成するための液滴を吐出するノズルのうちの少なくとも一部のノズルを検査対象としてノズルチェックを行うことを含み、
上記ノズルチェック工程では、或る単位層を形成した後、予め定められた数の単位層を形成するまでの間、又は、予め定められた時間内に、予め定められた回数の液滴の吐出を行っていない上記ノズル及び予め定められた量の液滴の吐出を行っていない上記ノズルのうち少なくとも一方をノズルチェック及び／又はフラッシングする
ことを特徴とする三次元造形物の製造方法。
【請求項３】
上記ノズルが或る方向に沿って１つ以上配置されたノズル列を有し、
当該ノズル列によって吐出する上記液滴の種類が異なっており、
上記ノズルチェック工程では、上記検査対象のノズルを有するノズル列のノズルチェックを行うことを特徴とする請求項１又は２に記載の三次元造形物の製造方法。
【請求項４】
上記ノズルチェック工程では、製造開始後、上記或る単位層を形成するときに、初めて使用されるノズルを検査対象としてノズルチェックを行うことを特徴とする請求項１又は２に記載の三次元造形物の製造方法。
【請求項５】
上記ノズルチェック工程では、上記ヘッドが備えるノズルのうち、予め定められた少なくとも一部を、予め定められた数の単位層が形成される毎及び予め定められた時間のうちの少なくとも一方でノズルチェックすることを特徴とする請求項１〜４のいずれか１項に記載の三次元造形物の製造方法。
【請求項６】
単位層を積層する三次元造形物の製造装置であって、
上記単位層は、ヘッドの備えるノズルから吐出される液滴で形成され、
上記ノズルを検査するノズル検査部と、
上記ノズル検査部を制御するノズルチェック制御部とを備え、
上記ノズルチェック制御部は、或る単位層を形成する前であって、当該単位層が最下層である場合には製造開始の後に、当該単位層が最下層以外である場合には当該単位層の直下にある単位層を形成した後に、当該単位層を形成するための液滴を吐出するノズルのうちの少なくとも一部のノズルを検査対象としてノズルチェックを行うと共に、
上記ヘッドが備えるノズルのうち、予め定められた複数のノズルを一つの集団とし、上記ヘッドが備えるノズルのうちの少なくとも一部を複数の集団に分割した集団情報に基づいて、
予め定められた数の単位層を形成する毎に、上記複数の集団のうちの一部の集団のノズルチェックを行うように制御することを特徴とする三次元造形物の製造装置。
【請求項７】
単位層を積層する三次元造形物の製造装置であって、
上記単位層は、ヘッドの備えるノズルから吐出される液滴で形成され、
上記ノズルを検査するノズル検査部と、
上記ノズル検査部を制御するノズルチェック制御部とを備え、
上記ノズルチェック制御部は、或る単位層を形成する前であって、当該単位層が最下層である場合には製造開始の後に、当該単位層が最下層以外である場合には当該単位層の直下にある単位層を形成した後に、当該単位層を形成するための液滴を吐出するノズルのうちの少なくとも一部のノズルを検査対象としてノズルチェックを行うと共に、
或る単位層を形成した後、予め定められた数の単位層を形成するまでの間、又は、予め定められた時間内に、予め定められた回数の液滴の吐出を行っていない上記ノズル及び予め定められた量の液滴の吐出を行っていない上記ノズルのうち少なくとも一方をノズルチェック及び／又はフラッシングするように制御することを特徴とする三次元造形物の製造装置。
【請求項８】
単位層を積層する三次元造形物の製造装置であって、
上記単位層は、ヘッドの備えるノズルから吐出される液滴で形成され、
上記ノズルを検査するノズル検査部と、
上記ノズル検査部を制御するノズルチェック制御部とを備え、
上記ノズルチェック制御部は、或る単位層を形成する前であって、当該単位層が最下層である場合には製造開始の後に、当該単位層が最下層以外である場合には当該単位層の直下にある単位層を形成した後に、当該単位層を形成するための液滴を吐出するノズルのうちの少なくとも一部のノズルを検査対象としてノズルチェックを行うように制御し、
上記三次元造形物を支持する支持台と、
上記ノズル検査部、上記支持台及び上記ヘッドのうちの少なくとも一つを、積層方向に移動可能にする位置制御部とをさらに備え、
上記位置制御部は、上記支持台及び上記ヘッドの少なくとも一方が、上記積層方向に移動した場合にも、上記ノズル検査部と上記ヘッドの液滴の吐出面との距離の差が、予め定められた長さ内とするように制御することを特徴とする三次元造形物の製造装置。
【請求項９】
単位層を積層する三次元造形物の製造装置であって、
上記単位層は、ヘッドの備えるノズルから吐出される液滴で形成され、
上記三次元造形物を支持する支持台と、
上記ノズルを検査するノズル検査部と、
上記ノズル検査部、上記支持台及び上記ヘッドのうちの少なくとも一つを、積層方向に移動可能にする位置制御部とを備え、
上記位置制御部は、上記支持台及び上記ヘッドの少なくとも一方が、上記積層方向に移動した場合にも、上記ノズル検査部と上記ヘッドの液滴の吐出面との距離の差が、予め定められた長さ内となるように制御することを特徴とする三次元造形物の製造装置。
【発明の詳細な説明】
【技術分野】
【０００１】
本発明は三次元造形物の製造方法及び製造装置に関する。
【背景技術】
【０００２】
特許文献１には、境界材料を噴射する少なくとも１列のインクジェットノズルを有するプリントヘッドを使用して３−Ｄモデルを構成する３−Ｄ印刷装置が記載されている。
【先行技術文献】
【特許文献】
【０００３】
【特許文献１】特開２０１２−７１６１１号公報（２０１２年４月１２日公開）
【発明の概要】
【発明が解決しようとする課題】
【０００４】
特許文献１では、積層体の各層で、同一ノズルが同一箇所を打たないようにすることで、ノズル詰まりが生じているノズルによる影響を抑制する技術であり、吐出形成された位置をセンサで特定することで、ノズル抜けしたドット位置を判断している。
【０００５】
しかし、特許文献１のような従来技術は、毎回積層された層でノズル抜けの位置を検出しながら、そのヘッド位置を制御しようとすると、制御自体が複雑化してしまうなど、三次元造形物の製造しながらノズルチェックを行うのには適していない。
【０００６】
三次元造形物を製造する場合には、インクの種類（モデル材用のインク、サポート材用のインク及びカラー材用のインク等）毎に総吐出量又は使用頻度が大きく異なる。例えば、モデル材用のインクは多量に使うが、三次元造形物の構造によってはサポート材を用いる場合と用いない場合とがあり、サポート材を用いる場合であっても、サポート材が用いられる箇所が限定的であることが一般的である。また、着色された三次元造形物を製造する場合には、モデル材の表面に印刷する、カラーインク、透明インクは使用頻度が少ない。使用頻度によって、吐出不具合の発生のしやすさに影響と与える一因となる。例えば、カラーインクなどの使用頻度が少ないインクは増粘しやすく、ノズルの目詰まりが発生しやすい。また、紫外線硬化型インク等の光硬化型インクを用いて、三次元造形物を製造する場合、硬化させるための光を照射し続ける必要がある。しかし、二次元の印刷媒体に同様のインクで印刷する場合に比べて、三次元造形物には高さがあること等から、光源から被照射物までの距離が長く、光が反射するまでの距離が長い。また、三次元造形物は造形が進むにつれ表面の凹凸が大きくなることから、ヘッド面及び着弾面を含む反射面が、その位置及び積層回数によって距離が二次元の印刷媒体とは異なる。そのため、二次元の印刷媒体に印刷する場合に比べて乱反射しやすい。乱反射した光がノズルに届くとインクが増粘、硬化して目詰まりが起こりやすくなる。従って、積層開始前の全てのノズルを一律に検査したとしても、頻度が低いノズルは、その吐出タイミングには異常ノズルとなっている可能性が高い。
【０００７】
本発明は、このような問題に鑑みてなされた発明であり、三次元造形物の製造に適したノズルチェックを行う三次元造形物の製造方法を提供する。
【課題を解決するための手段】
【０００８】
上記の課題を解決するために、本発明者が鋭意検討した結果、以下の本発明に達した。
【０００９】
本発明に係る三次元造形物の製造方法は、単位層を積層する三次元造形物の製造方法であって、上記単位層は、ヘッドの備えるノズルから吐出される液滴で形成され、上記ノズルを検査するノズルチェック工程を含み、上記ノズルチェック工程は、或る単位層を形成する前であって、当該単位層が最下層である場合には製造開始の後に、当該単位層が最下層以外である場合には当該単位層の直下にある単位層を形成した後に、当該単位層を形成するための液滴を吐出するノズルのうちの少なくとも一部のノズルを検査対象としてノズルチェックを行うことを含むことを特徴とする。
【００１０】
本発明に係る三次元造形物の製造装置は、単位層を積層する三次元造形物の製造装置であって、上記単位層は、ヘッドの備えるノズルから吐出される液滴で形成され、上記ノズルを検査するノズル検査部と、上記ノズル検査部を制御するノズルチェック制御部とを備え、上記ノズルチェック制御部は、或る単位層を形成する前であって、当該単位層が最下層である場合には製造開始の後に、当該単位層が最下層以外である場合には当該単位層の直下にある単位層を形成した後に、当該単位層を形成するための液滴を吐出するノズルのうちの少なくとも一部のノズルを検査対象としてノズルチェックを行うように制御することを特徴とする。
【００１１】
上記構成により、三次元造形物を製造するときに、液滴を吐出するノズル毎に、当該ノズルが使用される直前により近いタイミングで検査できる。仮に積層開始前の全てのノズルを一律に検査したとしても、頻度が低いノズルは、その吐出タイミングには異常ノズルとなっている可能性がある。しかし、上記構成によれば、使用頻度の違いによる異常ノズルの発生の影響を効果的に検出することができる。このように、三次元造形物の製造に適したノズルチェックを行うことができる。
【００１２】
本発明に係る三次元造形物の製造方法では、上記ノズルが或る方向に沿って１つ以上配置されたノズル列を有し、当該ノズル列によって吐出する上記液滴の種類が異なっており、上記ノズルチェック工程では、上記検査対象のノズルを有するノズル列のノズルチェックを行うことがより好ましい。
【００１３】
上記構成により、ノズル列によって吐出量及び使用頻度が大きく異なっていても、その影響によるノズルの不具合の発生を効果的に検出することができる。
【００１４】
本発明に係る三次元造形物の製造方法において、上記ノズルチェック工程では、製造開始後、上記或る単位層を形成するときに、初めて使用されるノズルを検査対象としてノズルチェックを行ってもよい。
【００１５】
上記構成により、或る単位層よりも前に形成した単位層までは使用されておらず、或る単位層を形成するときに初めて使用されるノズルのみを検査することで、検査するノズルの数を減らすことができる。その結果、ノズルの検査時間を短縮でき、次の単位層を形成するまでの時間を短くすることができる。
【００１６】
本発明に係る三次元造形物の製造方法において、上記ノズルチェック工程では、上記ヘッドが備えるノズルのうち、予め定められた少なくとも一部を、予め定められた数の単位層が形成される毎及び予め定められた時間のうちの少なくとも一方でノズルチェックすることがより好ましい。
【００１７】
上記構成により、定期的にノズルチェックが行われるので、前回検査が行われた後にノズルに吐出不具合が生じていてもこれを検出することができる。
【００１８】
本発明に係る三次元造形物の製造方法において、上記ノズルチェック工程では、上記ヘッドが備えるノズルのうち、予め定められた複数のノズルを一つの集団とし、上記ヘッドが備えるノズルのうちの少なくとも一部を複数の集団に分割した集団情報に基づいて、予め定められた数の単位層を形成する毎に、上記複数の集団のうちの一部の集団のノズルチェックを行うことがより好ましい。
【００１９】
仮に、一定の数の単位層を形成する毎に、全てのノズルを検査すると、ノズルチェックに時間がかかり、直前に形成した単位層の表面に、次の単位層を形成するまでの待機時間が長くなってしまう。その結果、直前に形成した単位層の表面の状態と他の単位層との表面の状態とが、例えば乾燥状態及び濡れ性の点等で異なってしまい、直前に形成した単位層の表面が不良状態になる虞がある。そこで、上記の構成によれば、グループごとに分割してノズルチェックを行うので、次の単位層を形成するまでの時間を短くすることができる。これにより、或る単位層を形成してから、次の単位層を形成するまでの時間を、三次元造形物を製造する間にわたって、より均一にすることができる。そのため、単位層の表面をより均一な状態にして、次の単位層を形成することができ、高精度な三次元造形物を製造できる。
【００２０】
上記ノズルチェック工程では、或る単位層を形成した後、予め定められた数の単位層を形成するまでの間、又は、予め定められた時間内に、予め定められた回数の液滴の吐出を行っていない上記ノズル及び予め定められた量の液滴の吐出を行っていない上記ノズルのうち少なくとも一方をノズルチェック及び／又はフラッシングすることがより好ましい。
【００２１】
稼働状況が少ないことで、ノズルが不吐出状態になる虞がある。上記の構成によれば、稼働状況の少ないノズルに対してノズルチェックを行うことで、当該ノズルが不吐出状態になっても、当該ノズルが不吐出状態にあることを認識できる。稼働状況の多いノズルについては、異常ノズルの発生が少ないため、稼働状況の少ないノズルのみにチェックを行うことで、ノズルの検査時間を短縮できる。また、稼働状況の少ないノズルに対してフラッシングを行うことで、当該ノズルの増粘を抑制できる。
【００２２】
本発明に係る三次元造形物の製造装置では、上記三次元造形物を支持する支持台と、上記ノズル検査部、上記支持台及び上記ヘッドのうちの少なくとも一つを、積層方向に移動可能にする位置制御部とをさらに備え、上記位置制御部は、上記支持台及び上記ヘッドの少なくとも一方が、上記積層方向に移動した場合にも、上記ノズル検査部と上記ヘッドの液滴の吐出面との距離の差が、予め定められた長さ内とするように制御することがより好ましい。
【００２３】
上記構成により、積層方向にヘッド又は支持台が動いたとしても、ノズル検査部とヘッドの液滴を吐出する面との距離がほぼ一定であることで、落下中の液滴が通過する領域であってノズル検査部によって検査する対象の領域と吐出面との距離が常にほぼ一定となる。従って、ヘッド又は支持台が積層方向に動くことによるノズル検査の誤差が生じない。
【発明の効果】
【００２４】
本発明は、三次元造形物の製造に適したノズルチェックを行うことができるという効果を奏する。
【図面の簡単な説明】
【００２５】
【図１】本発明に係る三次元造形物の製造方法の一実施形態である印刷装置１００を用いた三次元造形物Ｍを製造する手順について模式的に示す図である。
【図２】本発明に係る三次元造形物の製造方法の一実施形態で用いる印刷装置１００におけるヘッド１の概略構成を模式的に示す図である。
【発明を実施するための形態】
【００２６】
＜三次元造形物の製造方法＞
〔本発明に係る三次元造形物の製造方法の一実施形態〕
図１及び図２を用いて本発明に係る三次元造形物の製造方法の一実施形態について説明する。図１は、本発明に係る三次元造形物の製造方法の一実施形態である印刷装置１００を用いた三次元造形物Ｍを製造する手順について模式的に示す図である。図２は本発明に係る三次元造形物の製造方法の一実施形態で用いる印刷装置１００におけるヘッド１の概略構成を模式的に示す図である。なお、図１は、支持台１０の表面に垂直な面で切った、三次元造形物Ｍの断面図でもある。
【００２７】
本実施形態では、紫外線硬化型インクを用いて、インクジェット法により三次元造形物Ｍを製造する場合について説明する。
【００２８】
なお、本実施形態では、紫外線硬化型インクを使用しているが、本発明に係る三次元造形物の製造方法で用いるインクはこのような形態に限定されない。本発明に係る三次元造形物の製造方法では、製造する三次元造形物の目的等に応じて任意のインクを選択できる。例えば、従来公知のモデル材を適宜採用できる。
【００２９】
インクの具体的な種類としては、例えば、紫外線硬化型インク及び熱可塑性インクが挙げられる。中でも、紫外線硬化型インクがより好ましい。紫外線硬化型インクは短時間で簡単に硬化させることができるため、短時間に単位層を形成することができる。また、積層させることが容易であるため、三次元造形物をより短時間で製造することができる。
【００３０】
紫外線硬化型インクは紫外線硬化型化合物を含む。紫外線硬化型化合物としては、紫外線を照射した際に硬化する化合物であれば限定されない。紫外線硬化型化合物としては、例えば、紫外線の照射により重合する硬化型モノマー及び硬化型オリゴマー等が挙げられる。硬化型モノマーとしては、例えば、低粘度アクリルモノマー、ビニルエーテル類、オキセタン系モノマー及び環状脂肪族エポキシモノマー等が挙げられる。硬化型オリゴマーとしては、例えば、アクリル系オリゴマー等が挙げられる。
【００３１】
なお、製造する三次元造形物にオーバーハングの部分があるなどの場合には、適宜、従来公知のサポート材を用いてもよい。
【００３２】
図１に示すように、印刷装置１００は、ヘッド１、ＵＶ−ＬＥＤランプ２、メンテナンス機構２０、ノズル検査制御部４、位置制御部３０及び支持台１０を備えている。メンテナンス機構２０は、ノズル検査部３及びクリーニング部５を備えている。
【００３３】
また、図１に示すように、三次元造形物Ｍは、複数の単位層を、単位層Ｌ１、Ｌ２・・・と積層することで形成されている。
【００３４】
（ヘッド１）
ヘッド１は、インク（液滴）を吐出するためのインクジェットヘッドである。ヘッド１がＸ方向に往復移動しながら、支持台１０等の上を走査する。走査しながらインクを吐出することで、支持台１０又は前回製造した単位層の上にインクを吐出して単位層を形成する。
【００３５】
なお、本発明に係る三次元造形物の製造方法で用いるヘッドは、従来公知のものでよい。例えば、圧電素子の振動を利用して液滴を吐出させるインクジェットヘッド（電歪素子の機械的変形によりインク滴を形成するインクジェットヘッド）及び熱エネルギーを利用するインクジェットヘッド等が挙げられる。
【００３６】
また、本実施形態では、Ｘ方向に支持台１０上をヘッド１が走査するとき、吐出対象部は移動せず、ヘッド１が移動する形態について説明する。しかし、本発明に係る三次元造形物の製造方法はこのような形態に限定されず、ヘッドと吐出対象部とが相対的に移動する製造装置を用いればよい。
【００３７】
（ノズル６）
ノズル６は、インクを吐出するものである。図２に示すように、ヘッド１は、副走査方向（Ｙ方向）に沿って整列した一つ以上のノズル６からなるノズル列６−１、６−２・・・を有している。また、全てのノズル６は、いずれかのノズル列に含まれる。換言すれば、ノズル６はノズル列ごとにグループ（集団）分けされている。なお、副走査方向は、主走査方向（Ｘ方向）に直交する方向である。
【００３８】
ここで、各ノズル列６−１、６−２・・・で、吐出するインクの種類（モデル材用のインク、サポート材用のインク及びカラー材用のインク）が異なっている。換言すれば、一つ一つのノズル列のノズルは全て同じ種類のインクを吐出する。
【００３９】
（ＵＶ−ＬＥＤランプ２）
ＵＶ−ＬＥＤランプ２は、ヘッド１から吐出された紫外線硬化型インクに紫外線を照射する器具である。
【００４０】
なお、本発明に係る三次元造形物の製造方法で紫外線硬化型インクを用いる場合、光を照射するための器具はこのような形態に限定されず、紫外線を照射することのできる従来公知の様々な器具を採用し得る。
【００４１】
（メンテナンス機構２０）
メンテナンス機構２０は、ノズル検査部３及びクリーニング部５を備えている。メンテナンス機構２０はヘッド１を格納できるようになっている。また、格納しているヘッド１をノズル検査部３で検査したり、クリーニング部５でクリーニングしたりする。メンテナンス機構２０は、ヘッド１の走査する範囲から離れた、ヘッド１の移動方向の端に設けられている。
【００４２】
（ノズル検査部３）
ノズル検査部３は、ノズル６を検査するためのものである。
【００４３】
本実施形態において、「吐出不良ノズル」とは、例えば、インク詰まり等の原因により適正なインク吐出が不可能になったものを指す。
【００４４】
なお、本発明に係る三次元造形物の製造方法で使用するノズル検査部は従来公知のものでよく、本実施形態では、光路を遮断させてノズル検査を行うフォトセンサを用いる場合について説明する。ノズル検査部の他の例としては、テスト吐出領域に対して、インクを吐出させた後の吐出対象部の状況を確認してノズルチェックを行う構成でもよい。ただし、Ｚ方向にヘッド又は支持体を移動させたときに、ノズル検査部とヘッドのインクを吐出する面との距離がほぼ一定となるようにして、ヘッド又は支持台がＺ方向に動くことによる誤差が生じないようにする場合は、フォトセンサであることが好ましい。
【００４５】
また、ノズル検査部３による検査は、ノズル検査制御部４により制御されている。ノズル検査制御部４から、いつ、どのノズル６を検査するかに基づく指示を示す信号を受信して、当該指示に基づいて検査を行う。
【００４６】
（ノズル検査制御部４）
ノズル検査制御部４は、ノズル検査部３による検査を制御するためのものである。具体的には、検査対象のノズル６から吐出されるインクを使用する単位層を形成する前であり、当該単位層の直下にある単位層を形成した後に、当該ノズル６の検査を行うように制御する。ノズル６を使用する直前に検査することで、使用頻度が低いノズル６の吐出不良をより効果的に見つけることができる。
【００４７】
本実施形態では、ノズル検査部３の検査は、印刷装置１００に搭載された制御手段によって制御される形態について説明するが、本発明はこのような形態に限定されず、所定のタイミング毎の検査を、手動で印刷装置を操作することによって行ってもよい。
【００４８】
（クリーニング部５）
クリーニング部５は、ノズル６をクリーニングするためのものである。ヘッド１のノズル６が形成された面をワイピングするワイパー、ノズル６のインクを吸引する吸引装置等で構成されている。
【００４９】
（位置制御部３０）
位置制御部３０は、ヘッド１が移動した場合にも、ノズル検査部３とヘッド１のインクの吐出面との距離の差が、予め定められた長さ内とするように制御するものである。
【００５０】
具体的には、位置制御部３０は、ヘッドのＺ軸方向の位置を検出し、ノズル検査部のＺ軸方向の位置とのずれを認識し、検査をするときに、当該ずれが無くなるようにヘッド１又はメンテナンス機構２０をＺ軸方向に移動させるように制御する。例えば、検査をする直前にヘッド１の位置をＺ軸方向に移動させた後で、メンテナンス機構２０までヘッド１を移動させてノズルの検査が行われる。
【００５１】
なお、ノズル検査部３が、ヘッド１をＸ方向に移動可能に支持するヘッド支持部の延長部分に設けられ、ヘッド１に対するノズル検査部３の位置が固定されていれば、位置制御部３０は設けなくてもよい。インクの吐出面に対するノズル検査部３の位置が固定されていることになり、ひいては、ノズル検査部３がインクを検査するときの当該インクの位置と、当該インクの吐出面との距離が一定に保たれるからである。
【００５２】
また、本発明に係る三次元造形物の製造方法で使用する位置制御部は、ノズル検査部、支持台及びヘッドのうちの少なくとも一方を、積層方向に移動可能にし、ヘッドとノズル検査部との距離の差が、予め定められた長さ内となるように制御できるものであればよい。
【００５３】
（支持台１０）
支持台１０は、形成される三次元造形物を支持する台である。
【００５４】
本実施形態では、支持台１０を固定し、ヘッド１を副走査方向（Ｙ方向）及びＺ方向に移動させる場合について説明するが、本発明に係る三次元造形物の製造装置では、ヘッドと吐出対象部とが相対的に移動すればよい。例えば、ヘッド１の主走査が１回終わる毎に支持台をＹ方向（副走査方向）に移動させてもよいし、単位層を一つ形成する毎に支持台を鉛直下向きの方向に移動させるものであってもよい。
【００５５】
〔三次元造形物Ｍを製造しながらノズルを検査する方法〕
次に、三次元造形物Ｍを製造しながらノズル６を検査する方法について説明する。
【００５６】
印刷を開始する前、ヘッド１はメンテナンス機構２０に格納されている。
【００５７】
ノズル検査制御部４は、印刷の開始（三次元造形物の製造開始）を認識すると、次に、単位層Ｌ１を形成するために使用するノズル６を認識する。例えば、どのノズル６をいつ使用してインクを吐出するかを示すデータを、ノズル検査制御部４自身が三次元造形物Ｍの画像データから作成するか、又は、別の印刷ソフトがインストールされたハードウェアによって作成したデータを取得して、単位層Ｌ１を形成するために使用するノズル６を認識する。
【００５８】
なお、ノズル検査制御部４は、印刷の開始を次のように認識する。つまり、ユーザーが製造を開始する指示を入力部（図示せず）に入力し、当該指示を受信することで印刷の開始を認識する。また、一度の開始の指示が、複数の種類の三次元造形物の製造を指示するものである場合、製造する三次元造形物の種類が変わるタイミングを、印刷の開始として認識するようにしてもよい。
【００５９】
ノズル検査制御部４は、単位層Ｌ１を形成するために使用するノズル６及び当該ノズル６と同じノズル列のノズル６を検査するようにノズル検査部３に指示を送る。このような形態により、インクの種類によって総吐出量及び使用頻度が大きく異なっていても、同じ種類のインクを吐出するノズル６毎に効率的に検査することができる。なお、本発明に係る三次元造形物の製造方法では、ノズル列毎にノズル６を検査しなくてもよく、或る単位層を形成するために使用するノズル６のみを検査すればよい。
【００６０】
ノズル検査部３はノズル検査制御部４からの指示に基づいてノズル６を検査する。具体的には、光センサによって遮光されるか否かでインクの吐出を判定する。ノズル検査部３は、測定結果をノズル検査制御部４に送信する。ノズル検査制御部４は、予め定められた時間内で当該吐出量がゼロか、ゼロでないとしても予め定められた量に満たないノズルを吐出不良ノズルとして認定する。なお、予め定められた時間、予め定められた量は、記録部（図示せず）に格納されており、ノズル検査制御部４は、当該記録部から当該時間及び当該量の情報を読み取り、不吐出ノズルであるか否かの判断に使用する。
【００６１】
吐出不良ノズルとして認定されたノズル６が存在する場合、当該ノズルによる影響を抑えながら、単位層Ｌ１の形成が開始される。当該影響を抑える方法としては、様々な方法が考えられる。例えば、クリーニング部５によってノズル６が形成された面のワイピングをし、その後、ノズル６から微量のインクを下方に吐出（フラッシング）させることや吸引によりノズル６のインクを除去することが考えられる。これにより、吐出不良ノズルの増粘を抑制できる。
【００６２】
また、次回以降の検査において吐出不良ノズルが認められた場合、製造時間を短くする観点からは、単位領域の画像を形成するために必要な走査の回数を増やすことで、一回当たりのノズル６からの吐出量を少なくしてもよい。より具体的には、マルチパスで印刷したり、マルチパスのパス数を増やしたりすることで吐出不良ノズルの影響を抑えることができる。
【００６３】
次に、ヘッド１をＸ方向に走査させながら、インクを吐出する。このとき、ヘッド１にはＵＶ−ＬＥＤランプ２が隣接しているので、ＵＶ−ＬＥＤランプ２もヘッド１と同様に移動する。
【００６４】
ヘッド１から吐出されたインクに対して、ＵＶ−ＬＥＤランプ２から発せられた紫外線が照射される。これにより、吐出されたインクが硬化されていく。
【００６５】
次に、ヘッド１の一走査毎にヘッド１をＹ方向に移動させる。
【００６６】
ヘッド１の移動距離はヘッド１のインクの吐出領域（ノズル列６−１、６−２等）の副走査方向（Ｙ方向）の長さと同じ距離である。つまり、本実施形態では、シングルパスの場合について説明する。シングルパスでは、単位画像領域（単位長さ四方の印刷領域）を１回の主走査で形成する。なお、本発明はシングルパスに限定されるものではなく、マルチパスでも適用され得る。つまり、一度の副走査方向（Ｙ方向）のヘッドの移動距離が、ヘッドのインクの吐出領域（ノズル列６−１、６−２等）の副走査方向（Ｙ方向）の長さよりも短い。そのため、単位画像領域を印刷するために複数回の主走査が行われる。
【００６７】
このように、ヘッド１をＸ方向に走査し、Ｙ方向に移動させていくことで単位層Ｌ１の形成が完了する。
【００６８】
次に、ノズル検査制御部４は、単位層Ｌ２の形成に用いるノズル６及び当該ノズル６と同じノズル列のノズル６を検査するようにノズル検査部３に指示を送る。
【００６９】
このように、本発明に係る三次元造形物の製造方法では、製造開始後、初めてインクを吐出することになるノズルを、当該インクを用いる単位層を形成する前に検査するように制御してもよい。当該ノズルに、どのノズルが相当するかは、上述したどのノズルをいつ使用してインクを吐出するかを示すデータから認識できる。このような制御により、或る単位層よりも前に形成した単位層までは使用されておらず、或る単位層を形成するときに初めて使用されるノズルのみを検査することで、検査するノズルの数を減らすことができる。その結果、ノズルの検査時間を短縮でき、次の単位層を形成するまでの時間を短くすることができる。
【００７０】
ノズルの検査を行なう前に、位置制御部３０は、ノズル検査部３とヘッド１のインクの吐出面との距離の差が、予め定められた長さ内となるように、ノズル検査部３の位置を制御する。例えば、ヘッド１の位置もＺ方向に移動させる。このような制御により、単位層を積層させるためにヘッド１がＺ方向に動いても、ノズル検査部３とヘッド１のインクを吐出する面との距離がほぼ一定にすることができる。このようにして、ノズル検査部３がインクを検査するときの当該インクの位置と、当該インクの吐出面との距離を常に一定に保つことで、ヘッド１がＺ方向に移動することが検査に与える影響を抑制することができる。「予め定められた長さ」については、位層の厚さ等に基づいて、適宜設定すればよい。また、「予め定められた長さ」を示す情報については、記録部（図示せず）に格納されており、位置制御部３０は、当該情報を読み取る。
【００７１】
なお、本実施形態では位置制御部３０はヘッド１をＺ方向に移動させることで、ヘッド１とノズル検査部３との相対的な位置を調整する形態について説明するが、本発明はこれに限定されない。例えば、支持台及び／又はノズル検査部を移動させることで調整してもよい。
【００７２】
次に、単位層Ｌ２を形成するために、ヘッド１をＺ方向に移動させる。
【００７３】
単位層Ｌ２は、単位層Ｌ１と同様にヘッド１をＸ方向に走査し、Ｙ方向に移動させることで形成される。
【００７４】
同様に、単位層を次々とＺ方向に積層していく。このとき、或る単位層を形成した後、次に積層する単位層を形成するときに使用するインクのノズル６及び当該ノズル６を含むノズル列中の他のノズル６を検査対象として、検査が行われる。
【００７５】
また、本実施形態では、これまで説明した検査に加えて、次に説明する検査が行われる。
【００７６】
つまり、ノズル検査制御部４は、予め定められた数の単位層を形成する間に、予め定められた回数のインクの吐出を行っていないノズル６及び予め定められた量のインクの吐出を行っていないノズル６を検査するようにノズル検査部３を制御する。このような制御により、使用頻度の少ないノズル６が吐出不良となっても、検出することができる。
【００７７】
「予め定められた数」、「予め定められた回数」、「予め定められた量」については、インクの増粘のしやすさ、又は、単位層の大きさ等に基づいて、適宜設定すればよく、インクの種類ごとに変えてもよい。また、「予め定められた数」、「予め定められた回数」、「予め定められた量」を示す情報については、記録部（図示せず）に格納されており、ノズル検査制御部４は、当該情報を読み取る。
【００７８】
なお、本発明に係る三次元造形物の製造方法では、予め定められた時間内に上述の条件を満たしていないノズルを検査するようにノズル検査部を制御してもよい。例えば、１時間毎に、所定の量のインクを吐出しないか、所定の数の吐出を行わないノズルを検査するなどしてもよい。
【００７９】
また、これまでの検査とは独立して、予め定められた数の単位層を形成した後に、ノズル列６−１の検査を行い、またノズル列６−１の検査をした後、予め定められた数の単位層を形成した後にノズル列６−２の検査を行う。
【００８０】
同様にして、すべてのノズル列についての検査が行われていく。例えば、１層毎に６−１、６−２、・・・と順にノズル列毎に検査が行われていく。このように、複数のグループに分けて、グループごとに検査を行うことで、より高精度な三次元造形物を製造することができる。例えば、一定の数の単位層を形成する毎に、全てのノズルを検査する場合、直前で形成した単位層の表面の状態は、それまで形成してきた単位層の表面の状態と、乾燥状態、濡れ性等の点で異なる。次の単位層が表面に形成されるまでの時間が、ノズルの検査を行った時間だけ異なるからである。
【００８１】
そこで、本実施の形態によれば、グループ毎に分けて検査を行うので、次の単位層を形成するまでの時間を短くすることができる。また、一定の層を形成する毎に検査を行うことで、或る単位層を形成してから、次の単位層を形成するまでの時間を、三次元造形物を製造する間にわたって、より均一に近づけることができる。
【００８２】
どのノズル６がどのグループに属するかを示す情報（集団情報）は、予め記録部（図示せず）に格納されており、ノズル検査制御部４は当該情報を当該記録部から受信する。
【００８３】
本実施形態では、ノズル列毎にグループ分けして、ノズル列毎に順番に検査を行ったが、グループ分けはノズル列毎ではなくてもよい。例えば、ノズル列をさらに細分化してもよい。例えば、１又は複数のノズル列における、副走査方向の上流側、下流側で分割して、或る単位層の形成前は上流側のノズル列、別の単位層の形成前に下流側のノズル列を検査するようにしてもよい。
【００８４】
また、本発明に係る三次元造形物の製造装置は、本実施形態のようにグループ分けして、グループごとに順に検査をする形態に限定されない。予め定められた少なくとも一部のノズル６について、予め定められた数の単位層が形成される毎、予め定められた時間が経過する毎に検査するようにしてもよい。例えば、予め使用頻度の低いノズル（群）を選定しておき、所定のタイミングでノズルチェックを繰り返してもよい。
【００８５】
なお、本実施形態において説明した、三次元造形物Ｍを製造しながらノズル６を検査する方法は、本発明に係る三次元造形物の製造装置の一実施形態でもある。
【００８６】
〔ソフトウェアによる実現例〕
ノズル検査制御部４及び位置制御部３０の制御ブロックは、集積回路（ＩＣチップ）等に形成された論理回路（ハードウェア）によって実現してもよいし、ＣＰＵ（Central Processing Unit）を用いてソフトウェアによって実現してもよい。
【００８７】
後者の場合、ノズル検査制御部４及び位置制御部３０は、各機能を実現するソフトウェアであるプログラムの命令を実行するＣＰＵ、上記プログラムおよび各種データがコンピュータ（またはＣＰＵ）で読み取り可能に記録されたＲＯＭ（Ｒｅａｄ  Ｏｎｌｙ  Ｍｅｍｏｒｙ）または記憶装置（これらを「記録媒体」と称する）、上記プログラムを展開するＲＡＭ（Ｒａｎｄｏｍ  Ａｃｃｅｓｓ  Ｍｅｍｏｒｙ）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワーク及び放送波等）を介して上記コンピュータに供給されてもよい。なお、本発明は、上記プログラムが電子的な伝送によって具現化された、搬送波に埋め込まれたデータ信号の形態でも実現され得る。
【００８８】
＜付記事項＞
以上のように、本発明に係る三次元造形物の製造方法の一実施形態は、単位層Ｌ１及びＬ２等を積層する三次元造形物Ｍの製造方法であって、単位層Ｌ１及びＬ２等は、ヘッド１の備えるノズル６から吐出されるインクで形成され、ノズル６を検査するノズルチェック工程を含み、ノズルチェック工程は、或る単位層を形成する前であって、当該単位層が最下層（単位層Ｌ１）の場合には製造開始の後に、当該単位層が最下層以外である場合には当該単位層の直下にある単位層を形成した後に、当該単位層を形成するためのインクを吐出するノズル６のうちの少なくとも一部のノズル６を検査対象としてノズルチェックを行うことを含む。
【００８９】
また、本発明に係る三次元造形物の製造装置の一実施形態は、単位層Ｌ１及びＬ２等を積層する三次元造形物Ｍの印刷装置１００であって、各単位層は、ヘッド１の備えるノズル６から吐出されるインクで形成され、ノズル６を検査するノズル検査部３と、ノズル検査部３を制御するノズル検査制御部４とを備え、ノズル検査制御部４は、或る単位層を形成する前であって、当該単位層が最下層（単位層Ｌ１）である場合には製造開始の後に、当該単位層が最下層以外である場合には当該単位層の直下にある単位層を形成した後に、当該単位層を形成するためのインクを吐出するノズル６のうちの少なくとも一部のノズル６を検査対象としてノズルチェックを行うように制御する。
【００９０】
上記構成により、三次元造形物Ｍを製造するときに、インクを吐出するノズル６毎に、当該ノズル６が使用される直前により近いタイミングで検査できる。これにより、使用頻度の違いによる異常ノズルの発生の影響を効果的に検出することができる。このように、三次元造形物Ｍの製造に適したノズルチェックを行うことができる。
【００９１】
また、本発明に係る三次元造形物の製造方法の一実施形態では、ノズル６が或る方向に沿って１つ以上配置されたノズル列６−１、６−２・・・を有し、ノズル列６−１、６−２・・・によって吐出するインクの種類が異なっており、ノズルチェック工程では、検査対象のノズル６を有するノズル列６−１、６−２・・・のノズルチェックを行う。
【００９２】
上記構成により、ノズル列６−１、６−２・・・によって吐出量及び使用頻度が大きく異なっていても、その影響によるノズル６の不具合の発生を効果的に検出することができる。
【００９３】
また、本発明に係る三次元造形物の製造方法の一実施形態において、ノズルチェック工程では、製造開始後、或る単位層を形成するときに、初めて使用されるノズル６を検査対象としてノズルチェックを行ってもよい。
【００９４】
上記構成により、或る単位層よりも前に形成した単位層までは使用されておらず、或る単位層を形成するときに初めて使用されるノズル６のみを検査することで、検査するノズルの数を減らすことができる。その結果、ノズルの検査時間を短縮でき、次の単位層を形成するまでの時間を短くすることができる。
【００９５】
また、本発明に係る三次元造形物の製造方法の一実施形態において、ノズルチェック工程では、ヘッド１が備えるノズル６のうち、予め定められた少なくとも一部を、予め定められた数の単位層が形成される毎及び予め定められた時間のうちの少なくとも一方でノズルチェックする。
【００９６】
上記構成により、定期的にノズルチェックが行われるので、前回検査が行われた後にノズルに吐出不具合が生じていてもこれを検出することができる。
【００９７】
また、本発明に係る三次元造形物の製造方法の一実施形態において、ノズルチェック工程では、ヘッド１が備えるノズル６のうち、予め定められた複数のノズル６を一つの集団とし、ヘッド１が備えるノズル６のうちの少なくとも一部を複数の集団であるノズル列６−１、ノズル列６−２・・・に分割した集団情報に基づいて、予め定められた数の単位層を形成する毎に、複数の集団のうちの一部の集団のノズルチェックを行う。
【００９８】
上記の構成によれば、グループごとに分割してノズルチェックを行うので、次の単位層を形成するまでの時間を短くすることができる。これにより、或る単位層を形成してから、次の単位層を形成するまでの時間を、三次元造形物Ｍを製造する間にわたって、より均一にすることができる。そのため、単位層の表面をより均一な状態にして、次の単位層を形成することができ、高精度な三次元造形物Ｍを製造できる。
【００９９】
また、本発明に係る三次元造形物の製造方法の一実施形態において、ノズルチェック工程では、或る単位層を形成した後、予め定められた数の単位層を形成するまでの間、又は、予め定められた時間内に、予め定められた回数のインクの吐出を行っていないノズル６及び予め定められた量のインクの吐出を行っていないノズル６のうち少なくとも一方をノズルチェック及びフラッシングする。
【０１００】
上記の構成によれば、稼働状況の少ないノズル６に対してノズルチェックを行うことで、当該ノズルが不吐出状態になっても、当該ノズル６が不吐出状態にあることを認識できる。稼働状況の多いノズル６については、異常ノズルの発生が少ないため、稼働状況の少ないノズル６のみにチェックを行うことで、ノズル６の検査時間を短縮できる。また、稼働状況の少ないノズル６に対してフラッシングを行うことで、当該ノズル６の増粘を抑制できる。
【０１０１】
また、本発明に係る三次元造形物の製造装置の一実施形態では、三次元造形物Ｍを支持する支持台１０と、ノズル検査部３、支持台１０及びヘッド１のうちの少なくとも一つを、Ｚ方向に移動可能にする位置制御部３０とをさらに備え、位置制御部３０は、支持台１０及びヘッド１の少なくとも一方が、Ｚ方向に移動した場合にも、ノズル検査部３とヘッド１のインクの吐出面との距離の差が、予め定められた長さ内とするように制御する。
【０１０２】
上記構成により、Ｚ方向にヘッド１又は支持台１０が動いたとしても、ノズル検査部３とヘッド１のインクを吐出する面との距離がほぼ一定であることで、常にノズル検査部３からヘッド１のインクの吐出面から吐出したインクを検出する領域までの距離がほぼ一定となる。従って、ヘッド１又は支持台１０がＺ方向に動くことによるノズル検査の誤差が生じない。
【産業上の利用可能性】
【０１０３】
本発明は、三次元造形物の製造に利用することができる。
【符号の説明】
【０１０４】
１      ヘッド
２      ＵＶ−ＬＥＤランプ
３      ノズル検査部
４      ノズル検査制御部
５      クリーニング部
６      ノズル
６−１、６−２  ノズル列
１０    支持台
２０    メンテナンス機構
３０    位置制御部
１００  印刷装置
Ｌ１、Ｌ２  単位層
Ｍ      三次元造形物
【図１】
0006471087.tif 000002
【図２】
0006471087.tif 000003